(57)【要約】【課題】停復電制御の自動制御で異常が発生したとき、当該回路を早期に特定でき、復旧を短時間とする。【解決手段】停復電制御を行う受変電設備の自動制御装置において、停電で動作を開始する停電制御回路１から商用給電を行う受電遮断器を投入する受電ＣＢ投入回路１５の直前の回路までであって、停電から復電するまでの所定の自動制御を行う回路毎に、その制御が異常なく終了したか否かを表示する表示回路１８を設けたことを特徴とする。【選択図】  図１
2013128346.tif 000002
【特許請求の範囲】
【請求項１】
停復電制御を行う受変電設備の自動制御装置において、
所定の自動制御を行う回路毎に、その制御が終了したか否かを表示する表示灯を設けたことを特徴とする受変電設備の自動制御装置。
【請求項２】
前記停復電制御は、停電で動作を開始する停電制御回路と、
発電機を動作させる発電機起動回路と、
発電機連系の遮断器を動作させる発電機連絡ＣＢ投入回路と、
発電機電圧が所定値に達すると動作する停電制御完了回路と、
商用給電を行う商用復電回路と、
前記発電機連系の遮断器を切り離す発電機連絡ＣＢ開放回路と、
受電遮断器を動作させる受電ＣＢ投入回路と、
商用給電を開始する停電制御完了回路と、
で構成されることを特徴とする請求項１に記載の受変電設備の自動制御装置。
【請求項３】
前記表示灯を当該回路もしくは集合型の表示ユニットに設けたことを特徴とする請求項１または請求項２に記載の受変電設備の自動制御装置。
【発明の詳細な説明】
【技術分野】
【０００１】
本発明の実施形態は、停復電制御の自動制御を改善した受変電設備の自動制御装置に関する。
【背景技術】
【０００２】
従来、受変電設備の停電後の復電においては、自動制御装置を動作させ、各機器の制御が行われている（例えば、特許文献１参照）。
【０００３】
この種の自動制御装置を図３に示すが、停電が発生すると、停電制御回路１がスタートする。すると、停復電制御回路２が動作し、例えば遮断器、断路器などが所定の手順に従って操作される。復電制御回路３まで信号が達すると、正常終了となり、これらの制御がリセットされる。
【０００４】
停復電制御回路２の途中で異常が発生すると、制御渋滞回路４が動作する。制御渋滞回路４では、制御未完了回路５が動作し、タイマー６が所定の時間経過すると、表示灯（Ｌ１）７が点灯し、制御渋滞が表示される。併せて、自動制御をリセットするとともに、再スタートの防止が行われる。
【０００５】
このような制御において、制御渋滞回路４が動作した場合、制御フローをもとに停復電制御回路２がどこまで正常に動作したかを順に確認し、異常内容を特定しなければならなかった。最近の受変電設備は、系統とその運用が客先の多岐にわたるニーズとともに複雑化しており、異常が発生した機器を特定し点検することは多大の点検時間を要し、困難な作業であった。
【先行技術文献】
【特許文献】
【０００６】
【特許文献１】特開２００５−５１８４２号公報
【発明の概要】
【発明が解決しようとする課題】
【０００７】
本発明が解決しようとする課題は、停復電制御の自動制御において、異常が発生し制御渋滞回路４が動作したとき、異常の発生機器を早期に特定でき、復旧を短時間とすることのできる受変電設備の自動制御装置を提供することにある。
【課題を解決するための手段】
【０００８】
上記課題を解決するために、実施形態の受変電設備の自動制御装置は、停復電制御を行う受変電設備の自動制御装置において、所定の自動制御を行う回路毎に、その制御が終了したか否かを表示する表示灯を設けたことを特徴とする。
【図面の簡単な説明】
【０００９】
【図１】本発明の実施例に係る受変電設備の自動制御装置の回路構成を示す図。
【図２】本発明の実施例に係る受変電設備の自動制御装置の動作を説明する図。
【図３】従来の受変電設備の自動制御装置の回路構成を示す図。
【発明を実施するための形態】
【００１０】
以下、図面を参照して本発明の実施例を説明する。
【実施例】
【００１１】
本発明の実施例に係る受変電設備の自動制御装置を図１、図２を参照して説明する。図１は、本発明の実施例に係る受変電設備の自動制御装置の回路構成を示す図、図２は、本発明の実施例に係る受変電設備の自動制御装置の動作を説明する図である。なお、従来と同様の構成部分は、同一符号を付した。
【００１２】
図１に示すように、自動制御装置は、停電で動作を開始する停電制御回路１、発電機を動作させる発電機起動回路１０、発電機連系の遮断器を動作させる発電機連絡ＣＢ投入回路１１、発電機電圧などが所定値に達すると動作する停電制御完了回路１２、商用給電を行う商用復電回路１３、発電機連系の遮断器を切り離す発電機連絡ＣＢ開放回路１４、受電ＣＢを動作させる受電ＣＢ投入回路１５、停電制御回路１から受電ＣＢ投入回路１５までの回路が正常に動作したことを確認し商用給電を開始する停電制御完了回路１６が設けられている。
【００１３】
停電制御回路１から発電機連絡ＣＢ開放回路１４までの出力には、信号検出部、信号処理部、信号出力部で構成される条件成立回路１７が接続されており、それぞれＬ２からＬ７の表示灯を備えた表示回路１８に接続されている。
【００１４】
受電ＣＢ投入回路１５の出力には、制御渋滞回路４が接続されている。制御渋滞回路４には、制御未完了回路５、所定時間で動作するタイマー６、表示灯（Ｌ１）７が設けられている。また、制御渋滞回路４には、表示復帰用押しボタンスイッチ１９が接続されており、停電制御完了回路１２の正常終了のどちらかの信号で条件成立回路１７をリセットできるようになっている。
【００１５】
そして、受変電設備に停電が発生すると、停電制御回路１がスタートし、発電機起動回路１０により非常用の発電機を起動させ、発電機連絡ＣＢ投入回路１１により遮断器が投入される。発電機出力が所定値に達すると、停電制御完了回路１２が動作し、発電機からの給電が開始される。その後、復電されると、商用復電回路１３が動作し、発電機連絡ＣＢ開放回路１４により遮断器が開放され発電機が停止する。同時に、受電ＣＢ投入回路１５が動作し、受電の遮断器が投入される。受電の遮断器が投入されると、停電制御完了回路１６が動作し、停復電制御が正常に終了する。また、停復電制御がリセットされる。これらの回路が全て正常に動作すれば、表示回路１８のＬ２からＬ７までの表示灯が点灯する。異常が起これば、後述するが当該回路の表示灯までが点灯する。
【００１６】
なお、停電制御回路１から受電ＣＢ投入回路１５までの制御の途中で異常が発生すると、制御未完了回路５が動作し、タイマー６を経由して表示灯（Ｌ１）７が点灯し、制御渋滞が表示される。併せて、各回路の自動制御をリセットされるとともに、再スタートの防止が行われる。
【００１７】
異常が修復されると表示復帰用押しボタンスイッチ１９の操作、または停電制御完了回路１２からの正常終了の信号で条件成立回路１７をリセットする。
【００１８】
次に、条件成立回路１７と表示回路１８の動作を図２を参照して説明する。
【００１９】
例えば停電制御回路１の停電発生の条件成立により、接点２１がＯＮし、停復電制御リセット条件が成り立っていなければｂ接点２２がＯＮし、補助リレーＡＸ２３が励磁される。補助リレーＡＸ２３の励磁により、接点２４がＯＮし、補助リレーＢＸ２５を励磁する。補助リレーＡＸ２３の動作は、発電機起動回路１０などの次ステップの条件ともなる。補助リレーＢＸ２５の励磁により、接点２６がＯＮし、補助リレーＢＸ２５を自己保持する。併せて、補助リレーＢＸ２５の接点２７がＯＮし、表示灯２８が点灯する。この場合、ｂ接点２９の表示復帰条件がＯＮされていなければならない。
【００２０】
停電制御回路１から発電機連絡ＣＢ開放回路１４までのすべてのステップで表示灯が点灯すれば、停復電制御リセット条件のｂ接点２２と、表示復帰条件のｂ接点２９が成立し、それぞれＯＦＦとなり、補助リレー２３、２５が非励磁となり、全ての表示灯Ｌ２〜Ｌ７が消灯する。なお、制御渋滞の表示灯（Ｌ１）７は、点灯せず、終了となる。
【００２１】
一方、停復電制御に異常が発生した場合、当該回路の条件が成立せず接点２１がＯＦＦである。そのため、補助リレー２３、２５が非励磁であり、制御渋滞が発生する。更に、渋滞検出により、停復電制御リセット条件が成立してｂ接点２２がＯＦＦとなり、正常動作したステップまでの補助リレーＡＸ２３が非励磁となり、接点２４がＯＦＦする。補助リレーＢＸ２５は励磁が継続されるので、接点２６はＯＮが継続され、表示灯２８は点灯する。そのため、異常発生時には、表示灯Ｌ１と、表示灯Ｌ２〜Ｌ７のうち、正常に動作したステップまでの表示灯が点灯する。これにより、停電制御回路１から発電機連絡ＣＢ開放回路１４までのうち異常を起こした回路を特定することができる。
【００２２】
なお、異常を修復した後は、表示復帰用押しボタンスイッチ１９をＯＮすることにより、表示復帰条件のｂ接点２９がＯＦＦとなり、表示回路１８の表示灯を全て消灯させることができる。表示回路１８は、それぞれ単独、または条件の名称表示を備えた集合型表示ユニットで盤面、各設備に取り付けることができる。
【００２３】
また、上記実施例では停復電制御を説明したが、自動制御条件に置き換えることで自動制御全般に適用可能である。また、これらの制御をＰＬＣ（プログラマブルロジックコントローラ）で構成することも可能である。更には、遮断器のほかに断路器などが用いられる各種の電力系統に適用することができる。このため、発電機、遮断器、断路器などを自動制御するステップ毎に、その制御が正常に終了したか否かを表示することで、異常が起きたとき、その回路を短時間で特定することができる。
【００２４】
上記実施例の受変電設備の自動制御装置によれば、停復電制御の自動制御において、各ステップで異常が発生したとき、表示回路１８の表示灯Ｌ２〜Ｌ７を点灯させることで異常の発生機器を特定することができ、復旧を短時間とすることができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１  停電制御回路
４  制御渋滞回路
１６  停電制御完了回路
１７  条件成立回路
１８  表示回路
【図１】
2013128346.tif 000003
【図２】
2013128346.tif 000004
【図３】
2013128346.tif 000005